(57)【要約】【課題】液晶パネルの交換後に液晶パネル交換前と同様の画像表示状態を得るための調整作業が容易な液晶表示装置を提供する。【解決手段】自己のＶ−Ｔデータを格納する液晶パネル側記憶装置５を有する液晶パネル４と、液晶パネルのＶ−Ｔデータを格納する液晶表示装置側記憶装置８と、ガンマ補正レベルを格納してガンマ補正を行うガンマ補正ルックアップテーブル１と、制御部６とを備え、前記制御部は、前記液晶パネルが交換されたことを検知した場合、交換後の液晶パネルの液晶パネル側記憶装置と前記液晶表示装置側記憶装置とからＶ−Ｔデータを読み出し、これらのＶ−Ｔデータの差分を算出し、算出した前記Ｖ−Ｔデータの差分に基づいて前記ガンマ補正ルックアップテーブルに格納されたガンマ補正レベルを修正し、前記液晶表示装置側記憶装置に記憶されたＶ−Ｔデータを交換後の液晶パネルのＶ−Ｔデータに置き換える。【選択図】図１
2011081310.tif 000002
【特許請求の範囲】
【請求項１】
自己のＶ−Ｔデータを格納する液晶パネル側記憶装置を有する液晶パネルと、
液晶パネルのＶ−Ｔデータを格納する液晶表示装置側記憶装置と、
ガンマ補正レベルを格納してガンマ補正を行うガンマ補正ルックアップテーブルと、
制御部とを備え、
前記制御部は、前記液晶パネルが交換されたことを検知した場合、交換後の液晶パネルの液晶パネル側記憶装置と前記液晶表示装置側記憶装置とからＶ−Ｔデータを読み出し、これらのＶ−Ｔデータの差分を算出し、算出した前記Ｖ−Ｔデータの差分に基づいて前記ガンマ補正ルックアップテーブルに格納されたガンマ補正レベルを修正し、前記液晶表示装置側記憶装置に記憶されたＶ−Ｔデータを交換後の液晶パネルのＶ−Ｔデータに置き換えることを特徴とする液晶表示装置。
【請求項２】
前記Ｖ−Ｔデータは、液晶パネルの最小駆動から最大駆動までの輝度を測定し、複数の駆動階調のデータに比例変換したものであり、前記ガンマ補正ルックアップテーブルにおいて格納されるガンマ補正レベルは、前記複数の駆動階調の各々において規定されていることを特徴とする請求項１に記載の液晶表示装置。
【請求項３】
ブライトネス調整レベルを格納してブライトネスを調整するブライトネス調整ルックアップテーブルをさらに備え、
前記制御部は、前記算出した差分に基づいて前記ブライトネス調整ルックアップテーブルに格納されたブライトネス調整レベルを修正することを特徴とする請求項１または２に記載の液晶表示装置。
【請求項４】
コントラスト調整レベルを格納してコントラストを調整するコントラスト調整ルックアップテーブルをさらに備え、
前記制御部は、前記算出した差分に基づいて前記コントラスト調整ルックアップテーブルに格納されたコントラスト調整レベルを修正することを特徴とする請求項１乃至３のいずれか１項に記載の液晶表示装置。
【請求項５】
液晶表示装置において液晶パネルが交換された際に前記液晶表示装置が備えるガンマ補正ルックアップテーブルに格納されたガンマ補正レベルを修正する方法であって、
液晶パネルの交換を検知するステップと、
前記液晶パネルが備える液晶パネル側記憶装置と前記液晶表示装置が備える液晶表示装置側記憶装置からＶ−Ｔデータを読み出すステップと、
読み出した前記Ｖ−Ｔデータの差分を算出するステップと、
算出した前記Ｖ−Ｔデータの差分に基づいて、前記ガンマ補正ルックアップテーブルに格納されたガンマ補正レベルを修正するステップと、
前記液晶表示装置側記憶装置に記憶されたＶ−Ｔデータを交換後の液晶パネルのＶ−Ｔデータに置き換えるステップとを含むことを特徴とする方法。
【請求項６】
請求項５に記載の方法をコンピュータに実行させるためのプログラム。
【請求項７】
請求項６に記載のプログラムを格納したコンピュータ読み取り可能な記録媒体。
【発明の詳細な説明】
【技術分野】
【０００１】
本発明は、液晶表示装置に関する。
【背景技術】
【０００２】
液晶パネルは、製造時のさまざまな要因によって特性にバラツキがある。このような特性のバラツキは、特に製造ロットが変わった際に生じやすい。したがって、液晶表示装置、例えば、液晶テレビの液晶パネルを交換する際、交換前の液晶パネルと交換予定の液晶パネルとでは特性が違う場合があり、液晶パネルを交換した後、液晶パネル交換前の画像表示状態に近づくように調整を行う必要がある。
【０００３】
特許文献１には、ガンマ補正曲線データの設定を簡単に行うため、液晶表示装置の入力電圧に対する輝度出力よりＶ−Ｔ特性を測定し、このＶ−Ｔ特定に基づき上記液晶表示装置のガンマ補正が適正に行われるガンマ補正データをマイコンで演算し、この演算結果をガンマ補正データとしてガンマ補正回路のメモリに記憶させるようにする、液晶装置におけるガンマ補正回路の自動調整方法及び自動調整装置が開示されている。
【０００４】
特許文献２には、複数の液晶パネル間のコントラスト比に左右されることなく最適なガンマ調整を行うため、各液晶パネルのＶ−Ｔ特性を実測した値が入力部から入力された際、マイクロコンピュータは、各液晶パネルのコントラスト値の関係を比較し、この比較結果に応じて、予めテーブルに設けられた複数のガンマ補正データのうちの１つを選択する、液晶パネルのガンマ調整装置とガンマ調整方法が開示されている。
【先行技術文献】
【特許文献】
【０００５】
【特許文献１】特開平５−６４０３７号公報
【特許文献２】特開２００４−２１２６０５号公報
【発明の概要】
【発明が解決しようとする課題】
【０００６】
しかしながら、上述したような従来技術においても、液晶パネルの交換後に液晶パネル交換前と同様の画像表示状態を得るための調整作業は手間も時間も掛かるといった問題があった。
【０００７】
本発明は、このような実情に鑑みてなされたものであり、液晶パネルの交換後に液晶パネル交換前と同様の画像表示状態を得るための調整作業が容易な液晶表示装置を提供する。
【課題を解決するための手段】
【０００８】
本発明の液晶表示装置は、自己のＶ−Ｔデータを格納する液晶パネル側記憶装置を有する液晶パネルと、液晶パネルのＶ−Ｔデータを格納する液晶表示装置側記憶装置と、ガンマ補正レベルを格納してガンマ補正を行うガンマ補正ルックアップテーブルと、制御部とを備え、前記制御部は、前記液晶パネルが交換されたことを検知した場合、交換後の液晶パネルの液晶パネル側記憶装置と前記液晶表示装置側記憶装置とからＶ−Ｔデータを読み出し、これらのＶ−Ｔデータの差分を算出し、算出した前記Ｖ−Ｔデータの差分に基づいて前記ガンマ補正ルックアップテーブルに格納されたガンマ補正レベルを修正し、前記液晶表示装置側記憶装置に記憶されたＶ−Ｔデータを交換後の液晶パネルのＶ−Ｔデータに置き換えることを特徴とする。
【０００９】
前記Ｖ−Ｔデータは、液晶パネルの最小駆動から最大駆動までの輝度を測定し、複数の駆動階調のデータに比例変換したものであり、前記ガンマ補正ルックアップテーブルにおいて格納されるガンマ補正レベルは、前記複数の駆動階調の各々において規定されてもよい。
【００１０】
ブライトネス調整レベルを格納してブライトネスを調整するブライトネス調整ルックアップテーブルをさらに備え、前記制御部は、前記算出した差分に基づいて前記ブライトネス調整ルックアップテーブルに格納されたブライトネス調整レベルを修正するようにしてもよい。
【００１１】
コントラスト調整レベルを格納してコントラストを調整するコントラスト調整ルックアップテーブルをさらに備え、前記制御部は、前記算出した差分に基づいて前記コントラスト調整ルックアップテーブルに格納されたコントラスト調整レベルを修正するようにしてもよい。
【発明の効果】
【００１２】
本発明によれば、液晶パネルの交換後に液晶パネル交換前と同様の画像表示状態を得るための調整作業が容易になる。
【図面の簡単な説明】
【００１３】
【図１】本発明による液晶表示装置の構成の一例を示すブロック図である。
【図２】液晶パネル製造時（出荷検査時）のＶ−Ｔデータ格納の手順を説明するフローチャートである。
【図３】液晶パネル４内の液晶パネル側Ｖ−Ｔデータ記憶装置５に格納するＶ−Ｔデータの一例を示す表である。
【図４】液晶表示装置生産時のＶ−Ｔデータ格納の手順を説明するフローチャートである。
【図５】液晶パネル交換時のガンマ補正レベル修正の手順を説明するフローチャートである。
【図６】交換前の液晶パネルの透過率データと、交換後の液晶パネルの透過率データと、算出した差分の一例を示す表である。
【図７】ＲＧＢ駆動データと輝度の関係を示すグラフである。
【図８】液晶パネル交換前及び交換後の（Ｒ，Ｇ，Ｂ）ルックアップテーブル１におけるガンマ補正レベルの一例を示す表である。
【図９】液晶パネル交換前後のガンマ補正レベルを示すグラフである。
【発明を実施するための形態】
【００１４】
以下、図面を参照して本発明の実施の形態について説明する。
図１は、本発明による液晶表示装置の構成の一例を示すブロック図である。液晶表示装置は、（Ｒ，Ｇ，Ｂ）ルックアップテーブル１と、（Ｒ，Ｇ，Ｂ）Ｄ／Ａ変換部２と、（Ｒ，Ｇ，Ｂ）液晶駆動回路部３と、（Ｒ，Ｇ，Ｂ）液晶パネル４と、演算装置６と、液晶表示装置側Ｖ−Ｔデータ記憶装置８とを備える。（Ｒ，Ｇ，Ｂ）液晶パネル４は、液晶パネル側Ｖ−Ｔデータ記憶装置５を備える。演算装置６は、ＬＵＴ補正値を演算するガンマＬＵＴ演算処理部７を備える。液晶表示装置側Ｖ−Ｔデータ記憶装置８は、液晶表示装置内の基板において設けられる。
【００１５】
（Ｒ，Ｇ，Ｂ）ルックアップテーブル１は、入力された赤、緑または青の映像データをガンマ補正するためのルックアップテーブルであり、ガンマ補正された赤、緑または青の映像データを（Ｒ，Ｇ，Ｂ）Ｄ／Ａ変換部２に入力する。（Ｒ，Ｇ，Ｂ）Ｄ／Ａ変換部２は、入力された赤、緑または青の映像データをデジタル／アナログ変換し、（Ｒ，Ｇ，Ｂ）液晶駆動回路部３に入力する。（Ｒ，Ｇ，Ｂ）液晶駆動回路部３は、入力された赤、緑または青の映像データにしたがって（Ｒ，Ｇ，Ｂ）液晶パネル４を駆動する。（Ｒ，Ｇ，Ｂ）液晶パネル４内の液晶パネル側Ｖ−Ｔデータ記憶装置５は、（Ｒ，Ｇ，Ｂ）液晶パネル４の生産時に取得したＶ−Ｔデータを格納するＥＥＰＲＯＭである。
【００１６】
図２は、液晶パネル製造時（出荷検査時）のＶ−Ｔデータ格納の手順を説明するフローチャートである。この手順は、通常、液晶パネル４の生産場所において行われる。出荷検査が開始されると、ステップＳ１０１において、液晶パネル４の各種検査が実施される。ステップＳ１０２において、液晶パネル４をミニマム駆動（０：００００００００）からマキシマム駆動（２５５：１１１１１１１１）まで駆動し、その際の液晶パネル輝度を例えば８階調毎に測定する。ステップＳ１０３において、測定した液晶パネル輝度を２５６階調のデータに比例変換し、Ｖ−Ｔデータとして液晶パネル４内の液晶パネル側Ｖ−Ｔデータ記憶装置５に格納する。ステップＳ１０４において、液晶パネル４の各種検査が終了し、出荷検査が終了する。このような手順により、各液晶パネル４の液晶パネル側Ｖ−Ｔデータ記憶装置５には、当該液晶パネル４のＶ−Ｔデータが格納されることになる。
【００１７】
図３は、図２に示す手順において液晶パネル４内の液晶パネル側Ｖ−Ｔデータ記憶装置５に格納するＶ−Ｔデータの一例を示す表である。この表は、ＲＧＢ駆動データ対液晶パネル輝度を０−２５５に変換したものである。この表において、ＲＧＢ駆動データは、０（００００００００）〜２５５（１１１１１１１１）を約８ステップ毎に区切り指定したものであり、輝度Ｌは、ＲＧＢ駆動データに対応する液晶パネル面輝度データであり、Ｌ−Ｌ０は、ＲＧＢ駆動データに対応する液晶パネル面輝度からＲＧＢ駆動００００００００の時の液晶パネル面輝度を減じたものであり、０−２５５変換は、Ｌ−Ｌ０を０−２５５に比例変換したものである。
【００１８】
図４は、液晶表示装置生産時のＶ−Ｔデータ格納の手順を説明するフローチャートである。液晶表示装置の各種調整中に、ステップＳ２０１において、液晶パネル４内の液晶パネル側Ｖ−Ｔデータ記憶装置５に格納されたＶ−Ｔデータ、すなわち、液晶パネル４の製造時に測定されたＲＧＢデータ信号０−２５５に応じた輝度を０−２５５に変換したデータを読み出し、液晶表示装置４の基板に設けられた液晶表示装置側Ｖ−Ｔデータ記憶装置８に格納する。このような手順により、液晶表示装置の液晶表示装置側Ｖ−Ｔデータ記憶装置８には、製造時に取り付けられた液晶パネル４のＶ−Ｔデータが格納されることになる。ステップＳ２０２において、取り付けた液晶パネル４のＶ−Ｔデータに基づくガンマ補正レベルを（Ｒ，Ｇ，Ｂ）ルックアップテーブル１に書き込む。
【００１９】
図５は、液晶パネル交換時のガンマ補正レベル修正の手順を説明するフローチャートである。液晶表示装置の液晶パネルの交換を開始し、それまで取り付けられていた液晶パネル４が取り外され、交換用の液晶パネル４が取り付けられると、ステップＳ３０１において、演算装置６は、交換前の液晶パネルのＩＤと、交換後の液晶パネルのＩＤとを比較する。これらのＩＤが一致した場合、同じ液晶パネルが再度取り付けられたと判断し、ステップＳ３０７に進み、その他の各種サービス調整を実施し、処理を終了する。ＩＤが一致しなかった場合、液晶パネルが交換されたと判断し、ステップＳ３０２に進む。
【００２０】
ステップＳ３０２において、演算装置６は、交換後の液晶パネル４内の液晶パネル側Ｖ−Ｔデータ記憶装置（ＥＥＰＲＯＭ）５より、Ｖ−Ｔデータ、すなわち、ＲＧＢデータ信号０−２５５に応じた輝度を０−２５５に変換したデータ（交換後の液晶パネルの透過率データ）を読み出す。ステップＳ３０３において、演算装置６は、液晶表示装置の基板に設けられた液晶表示装置側Ｖ−Ｔデータ記憶装置（ＥＥＰＲＯＭ）８より、Ｖ−Ｔデータ、すなわち、ＲＧＢデータ信号０−２５５に応じた輝度を０−２５５に変換したデータ（交換前の液晶パネルの透過率データ）を読み出す。ステップＳ３０４において、演算装置６内のガンマＬＵＴ演算処理部７は、交換前の液晶パネルの透過率データと交換後の液晶パネルの透過率データとを比較し、駆動階調ごとの差分を算出する。図６は、交換前の液晶パネルの透過率データと、交換後の液晶パネルの透過率データと、算出した差分の一例を示す表である。この表において、交換前の液晶パネルと交換後の液晶パネルの透過率データは、ＲＧＢ駆動データ対液晶パネル輝度を０−２５５に変換したものである。
【００２１】
この表において、ＲＧＢ駆動データは、０（００００００００）〜２５５（１１１１１１１１）を約８ステップ毎に区切り指定したものであり、輝度Ｌは、ＲＧＢ駆動データに対応する液晶パネル面輝度データであり、Ｌ−Ｌ０は、ＲＧＢ駆動データに対応する液晶パネル面輝度からＲＧＢ駆動００００００００の時の液晶パネル面輝度を減じたものであり、０−２５５変換は、Ｌ−Ｌ０を０−２５５に比例変換したものである。交換前の液晶パネルの０−２５５変換した輝度を（Ａ）、交換後の液晶パネルの０−２５５変換した輝度を（Ｂ）として、差分（Ａ−Ｂ）を示している。図７は、図６の表に示すＲＧＢ駆動データと輝度の関係を示すグラフである。このグラフにおいて、縦軸は、０−２５５に変換した輝度を示し、横軸は、０（００００００００）〜２５５（１１１１１１１１）を約８ステップ毎に区切り指定したＲＧＢ駆動データを示しており、「■」は交換前の液晶パネルのデータを、「▲」は交換後の液晶パネルのデータを示している。「■」と「▲」の縦軸方向の差が、図６の表の差分（Ａ−Ｂ）に対応する。
【００２２】
ステップＳ３０５において、演算装置６内のガンマＬＵＴ演算処理部７は、上記のように算出した差分情報に基づいて、液晶パネル交換後の画像表示状態が液晶パネル交換前の画像表示状態に近づくようにするために、（Ｒ，Ｇ，Ｂ）ルックアップテーブル１におけるガンマ補正レベルに対して適用すべき補正値を算出する。ステップＳ３０６において、演算装置６内のガンマＬＵＴ演算処理部７は、算出した補正値を（Ｒ，Ｇ，Ｂ）ルックアップテーブル１におけるガンマ補正レベルに対して適用する。具体的には、例えば、各駆動階調ごとに差分に応じた補正値を実測データ等に基づいて予め決めておくようにしてもよい。図８は、液晶パネル交換前及び交換後の（Ｒ，Ｇ，Ｂ）ルックアップテーブル１におけるガンマ補正レベルの一例を示す表である。この表において、ＲＧＢ駆動データは、０（００００００００）〜２５５（１１１１１１１１）を約８ステップ毎に区切り指定したものであり、ガンマ補正ＬＵＴ（交換前）は、液晶パネル交換前の（Ｒ，Ｇ，Ｂ）ルックアップテーブル１におけるガンマ補正レベルであり、ガンマ補正ＬＵＴ（交換後）は、液晶パネル交換後の（Ｒ，Ｇ，Ｂ）ルックアップテーブル１におけるガンマ補正レベルである。図９は、液晶パネル交換前後のガンマ補正レベルを示すグラフである。このグラフにおいて、縦軸はガンマ補正レベルを示し、横軸は、０（００００００００）〜２５５（１１１１１１１１）を約８ステップ毎に区切り指定したＲＧＢ駆動データを示しており、「○」は液晶パネル交換前のガンマ補正レベルを、「＋」は液晶パネル交換後のガンマ補正レベルを示している。
【００２３】
ステップＳ３０７において、液晶表示装置の基板に設けられた液晶表示装置側Ｖ−Ｔデータ記憶装置（ＥＥＰＲＯＭ）８内の交換前の液晶パネルの透過率データを消去し、交換後の液晶パネルの透過率データを書き込む。ステップＳ３０８において、その他の各種サービス調整を実施し、調整を終了する。
【００２４】
このようにして、液晶表示装置の使用時には、入力された赤、緑または青の映像データは、（Ｒ，Ｇ，Ｂ）ルックアップテーブル１において、交換後、すなわち、現在取り付けられている液晶パネル４の出力特性に適したガンマ補正レベルによってガンマ補正されることになる。
【００２５】
上記説明では、交換前後の液晶パネルのＶ−Ｔデータの差分に基づいてガンマ補正レベルを修正したが、他の調整パラメータ、例えば、ブライトネスやコントラストを交換前後の液晶パネルのＶ−Ｔデータの差分に基づいて調整し、液晶パネル交換後において、液晶パネル交換前と同様の画像表示状態が得られるようにしてもよい。この際、（Ｒ，Ｇ，Ｂ）ルックアップテーブル１と同様の、ブライトネスやコントラストの調整レベルを駆動階調ごとに格納したルックアップテーブルを用意し、これらのルックアップテーブルの調整レベルを交換前後の液晶パネルのＶ−Ｔデータの差分に基づいて修正するようにしてもよい。
【００２６】
本発明によれば、液晶パネル交換後において、液晶パネル交換前と同様の画像表示状態を容易に実現することが可能になる。
【産業上の利用可能性】
【００２７】
本発明は、液晶表示装置に利用可能である。
【符号の説明】
【００２８】
１  （Ｒ，Ｇ，Ｂ）ルックアップテーブル
２  （Ｒ，Ｇ，Ｂ）Ｄ／Ａ変換部
３  （Ｒ，Ｇ，Ｂ）液晶駆動回路部
４  （Ｒ，Ｇ，Ｂ）液晶パネル
５  液晶パネル側Ｖ−Ｔデータ記憶装置
６  演算装置
７  ガンマＬＵＴ演算処理部
８  液晶表示装置側Ｖ−Ｔデータ記憶装置
【図１】
2011081310.tif 000003
【図２】
2011081310.tif 000004
【図３】
2011081310.tif 000005
【図４】
2011081310.tif 000006
【図５】
2011081310.tif 000007
【図６】
2011081310.tif 000008
【図７】
2011081310.tif 000009
【図８】
2011081310.tif 000010
【図９】
2011081310.tif 000011